(57)【要約】【課題】  ろ過池の洗浄処理の工程管理作業を能率的に行うことのできるろ過池システムを提供する。【解決手段】  受け入れた原水をろ過して流出するろ過池を複数備えるとともに、前記ろ過池を洗浄する洗浄装置を設け、  予め設定した洗浄要因のうち何れかの洗浄要因が満たされたことを検出したとき、前記ろ過池の洗浄開始時期を決定する洗浄管理手段を設けたろ過池システムであって、  前記洗浄管理手段が、洗浄すべき前記ろ過池が複数あるとき、予め設定してある複数の洗浄開始時期のうち、夫々のろ過池の洗浄開始時期が互いに異なるよう選択する。【選択図】        図５
2005334817.tif 000002
【特許請求の範囲】
【請求項１】
受け入れた原水をろ過して流出するろ過池を複数備えるとともに、前記ろ過池を洗浄する洗浄装置を設け、
予め設定した洗浄要因のうち何れかの洗浄要因が満たされたことを検出したとき、前記ろ過池の洗浄開始時期を決定する洗浄管理手段を設けたろ過池システムであって、
前記洗浄管理手段が、洗浄すべき前記ろ過池が複数あるとき、予め設定してある複数の洗浄開始時期のうち、夫々のろ過池の洗浄開始時期が互いに異なるよう選択する機能を備えたろ過池システム。
【請求項２】
前記洗浄開始時期として、正候補時期および予備候補時期の二種類の時期を設定してあり、  
前記洗浄管理手段は、洗浄すべきろ過池が一つの場合に、そのろ過池の洗浄開始時期を前記正候補時期のうち直近のものに設定して、前記ろ過池を洗浄待機状態にするとともに、
洗浄待機状態のろ過池がある状態で、洗浄すべき別のろ過池が生じたとき、前記洗浄待機状態にあるろ過池の洗浄開始時期および前記別のろ過池の洗浄開始時期を、夫々、前記正候補時期および前記予備候補時期のうち直近の洗浄開始時期から順に設定するよう構成してある請求項１に記載のろ過池システム。
【請求項３】
洗浄すべきろ過池が複数あるとき、前記洗浄管理手段が夫々のろ過池の洗浄要因を対比して、これらのろ過池の洗浄順序を変更する機能を備えた請求項１または２に記載のろ過池システム。
【請求項４】
前記洗浄開始時期に所定の時間幅を設けてある請求項１から３の何れか一項に記載のろ過池システム。
【請求項５】
何れかのろ過池につき、前記洗浄要因のうち何れかの洗浄要因の成立が予測できるとき、前記洗浄要因の成立前であっても、前記洗浄管理手段が前記ろ過池に前記洗浄開始時期を設定するよう構成してある請求項１から４の何れか一項に記載のろ過池システム。
【請求項６】
前記ろ過池を強制的に洗浄する強制洗浄手段を備え、
前記強制洗浄手段が操作されたとき、前記洗浄管理手段が、前記ろ過池の洗浄時期を、前記正候補時期および前記予備候補時期から選ばれる何れかに設定するよう構成してある請求項１から５の何れか一項に記載のろ過池システム。
【発明の詳細な説明】
【技術分野】
【０００１】
本発明は、  受け入れた原水をろ過して流出するろ過池を複数備えるとともに、前記ろ過池を洗浄する洗浄装置を設け、
予め設定した洗浄要因のうち何れかの洗浄要因が満たされたことを検出したとき、前記ろ過池の洗浄開始時期を決定する洗浄管理手段を設けたろ過池システムに関する。
【背景技術】
【０００２】
上述のろ過池システムは、例えば、上水道施設における浄水場において、ダムや河川から採取した原水を、凝集、沈殿等の前処理に供し、ろ過池を通じてろ過した後、貯留し、一般家庭等にろ過後の浄水を供給するのに用いられている。
【０００３】
前記ろ過池においては、前処理によって除去しきれなかった微細な浮遊物等をろ過し、ろ過して得られる浄水の濁度を低下させるのであるが、このときろ過された微細な浮遊物等は、前記ろ過池に設けられたろ材等を目詰まりさせる等してろ過効率を低下させる。そのため、その目詰まり等を解消するために、前記ろ過池を洗浄する必要がある。
【０００４】
上述の洗浄要因としては、ろ過抵抗値・ろ過水の濁度・ろ過継続時間・ろ過停止継続時間等が採用されている。例えば、ろ過池の長期使用によって、ろ過池が目詰まりすると、ろ過抵抗が上昇し、洗浄が必要な状態となる。この状態は、目詰まりして大きくなったろ過抵抗を観測することによって知ることができるし、経験的にろ材が目詰まりするまでに要する時間を知り、その時間に基づいて予測することができる。また、ろ過池を使用していない状態では、前記ろ過停止継続時間に基づいて、洗浄時期を予測することができる。ろ過池を使用していない状態では、ろ過池に浮遊成分等が流入することは考えにくいが、ろ過池に設けられるろ材として用いられている砂等が、次第に圧密化されて、ろ過抵抗が増大するからである。
【０００５】
このような洗浄要因に基づき、ろ過池の洗浄を行うと、複数のろ過池の洗浄時期が重なる場合がある。ところが、ろ過池の洗浄には大量の洗浄水が必要であることや、ろ過池の洗浄中には他のろ過池での負荷が大きくなり、浄水のろ過供給が不安定になる懸念があるために、ろ過池の洗浄は、可能な限り同時に行わないことが望ましい。
【０００６】
そこで、前記洗浄要因に基づき複数のろ過池の洗浄時間帯が重なると判断されるとき、その洗浄開始時間をずらせて、洗浄の必要なろ過池を、順次洗浄処理することができるように洗浄開始時間を設定するろ過池システムが提案されている（例えば特許文献１を参照）。
【０００７】
【特許文献１】特開平５−２２８３１１号公報
【発明の開示】
【発明が解決しようとする課題】
【０００８】
しかし、洗浄が必要なろ過池が複数あるときに、このような順次洗浄処理を行うと、洗浄作業の工程管理者は、その洗浄処理がいつ終了するのか予測するのが困難な場合がある。特に、あるろ過池の洗浄処理を行っている最中に、別のろ過池が、「洗浄が必要」と判断されるに至った（以下このような状況を「洗浄要因が成立した」と称する）場合等、工程管理者は、現在洗浄処理中のろ過池の洗浄終了までの工程管理作業の予定をたてていたとしても、その予定を延長して、前記別のろ過池の洗浄終了まで工程管理作業を続けなくてはならない状況になる。このように、工程管理作業の予定を組むことが困難になるという問題があった。
【０００９】
そこで、本発明の目的は、ろ過池の洗浄処理の工程管理作業を能率的に行うことのできるろ過池システムを提供する点にある。
【課題を解決するための手段】
【００１０】
本発明のろ過池システムの特徴構成は、受け入れた原水をろ過して流出するろ過池を複数備えるとともに、前記ろ過池を洗浄する洗浄装置を設け、予め設定した洗浄要因のうち何れかの洗浄要因が満たされたことを検出したとき、前記ろ過池の洗浄開始時期を決定する洗浄管理手段を設けたろ過池システムであって、前記洗浄管理手段が、洗浄すべき前記ろ過池が複数あるとき、予め設定してある複数の洗浄開始時期のうち、夫々のろ過池の洗浄開始時期が互いに異なるよう選択する機能を備えた点にある。
【００１１】
つまり、洗浄開始時期を予め設定されたものから選択するから、あるろ過池の洗浄処理を行っている最中に、別のろ過池の洗浄要因が成立した場合等であっても、前記別のろ過池の洗浄についても予め設定された洗浄開始時期から選択することになる。この洗浄開始時期は前記あるろ過池の洗浄開始時期とは異ならせて選択するので、複数のろ過池の洗浄時期が重なることはない。また、前記別のろ過池の洗浄開始時期は、予め設定されている洗浄開始時期から選ばれるので、工程管理者は前記別のろ過池の洗浄工程等の作業計画をを計画的に立てることができる。
【００１２】
また、前記洗浄開始時期として、正候補時期および予備候補時期の二種類の時期を設定し、前記洗浄管理手段は、洗浄すべきろ過池が一つの場合に、そのろ過池の洗浄開始時期を前記正候補時期のうち直近のものに設定して、前記ろ過池を洗浄待機状態にするとともに、洗浄待機状態のろ過池がある状態で、洗浄すべき別のろ過池が生じたとき、前記洗浄待機状態にあるろ過池の洗浄開始時期および前記別のろ過池の洗浄開始時期を、夫々、前記正候補時期および前記予備候補時期のうち直近の洗浄開始時期から順に設定することが好ましい。
【００１３】
つまり、次の洗浄開始時期に洗浄されるろ過池を洗浄待機状態として認識しておくことによって、そのろ過池の洗浄工程を管理する必要があるか否かを識別することができる。また、洗浄待機状態のろ過池が一つであれば、前記洗浄管理者は、通常業務として前記ろ過池の洗浄工程を管理することができ、計画的な工程管理ができる。洗浄待機状態のろ過池がある状態で、洗浄すべき別のろ過池が生じたとき、その別のろ過池も洗浄待機状態となるが、その洗浄開始時期は、先に洗浄待機状態となったろ過池の洗浄開始時期より遅い
異なる洗浄開始時期に設定される。よって、前記別のろ過池は洗浄開始時期まで、ろ過能力がある程度低下した状態で運用されることになる。しかし、前記洗浄開始時期として、洗浄待機状態になったろ過池を、例えば、毎日、定時等、通常業務として洗浄管理する事の出来る正候補時期に加えて、例えば、正候補時期と正候補時期との間で、工程管理者が洗浄作業を管理可能な時間帯に予備候補時期を設定しておくと、前記別のろ過池の洗浄を前記正候補時期まで待つことなく、前記正候補時期もしくは予備候補時期毎に順次洗浄開始して、迅速に洗浄処理を行い、それぞれのろ過池の洗浄待機状態を短期間にすることができる。そのため、前記別のろ過池において、上述のろ過能力のある程度低下した状態での運用期間を短くでき、安定したろ過能力を発揮させることができる。
【００１４】
また、このように設定したとしても前記別のろ過池の洗浄開始時期は、予め設定してある洗浄開始時期に一致するから、ろ過池の工程管理者は計画的に洗浄工程を管理することが出来る。
【００１５】
また、洗浄すべきろ過池が複数あるとき、前記洗浄管理手段が夫々のろ過池の洗浄要因を対比して、これらのろ過池の洗浄順序を変更する機能を備えることが好ましい。
【００１６】
工程管理者が洗浄待機中の複数のろ過池を点検した際に、前記複数のろ過池のうち、洗浄待機順位の低いろ過池が洗浄待機順位の高いろ過池よりも早期に洗浄しなければならない状況にある場合がある。このような場合、前記洗浄管理手段は、複数の洗浄要因を対比して、上述の機能に基づき前記両ろ過池の洗浄順序を変更することが出来、より適正な洗浄順序を実現できるようになる。
【００１７】
また、前記洗浄開始時期に所定の時間幅を設けてあることが好ましい。例えば、洗浄開始時期を、毎日９時というような所定時間とせず、毎日９時から１０時というような時間幅をもつように設定することが好ましい。
【００１８】
このように設定すると、洗浄開始時期の設定時期の始期に洗浄待機中のろ過池が無くても、洗浄開始時期中に洗浄要因の検出されたろ過池を即座に洗浄開始できる。その結果、洗浄開始時期中に洗浄要因の検出されたろ過池についても、工程管理者の管理容易な限度内で確実に洗浄処理を行えるようになる。
【００１９】
また、何れかのろ過池につき、前記洗浄要因のうち何れかの洗浄要因の成立が予測できるとき、前記洗浄要因の成立前であっても、前記洗浄管理手段が前記ろ過池に前記正候補時期を設定するよう構成してあることが好ましい。
【００２０】
例えば、洗浄要因として時間要素を監視している場合、洗浄要因の成立時期は予め予測することが出来る。そこで、何れかのろ過池につき、何れかの洗浄要因の成立が予測できるとき、前記洗浄要因の成立前であっても、前記洗浄管理手段が前記ろ過池に前記正候補時期を設定することで、前記ろ過池の洗浄計画を早期に立てておくことが出来る。
【００２１】
このように洗浄が必要なろ過池の洗浄作業を繰り上げて計画できるようにすると、その後に複数のろ過池の洗浄要因が成立したとしても、これらが洗浄待機状態で停滞するのを回避することが出来る。
【００２２】
また、前記ろ過池を強制的に洗浄する強制洗浄手段を備え、前記強制洗浄手段が操作されたとき、前記洗浄管理手段が、前記ろ過池の洗浄時期を、前記正候補時期および前記予備候補時期から選ばれる何れかに設定するよう構成してあることが好ましい。
【００２３】
つまり、ろ過池の状態によっては工程管理者が目視により確認して、はじめて洗浄不良等の不都合が見出される場合がある。このような場合、前記工程管理者は、前記強制洗浄手段により前記ろ過池を強制洗浄することができる。このとき、この強制洗浄は他の洗浄要因に比べて優先度が高いので、正候補時期および予備候補時期から選ばれる何れかに設定することで、強制洗浄されるろ過池を他のろ過池に優先して洗浄することが出来る。尚、他のろ過池の洗浄は、前記ろ過池において強制洗浄の行われた後、上述の通常の手段によって順に行うことが出来る。
【発明を実施するための最良の形態】
【００２４】
以下、本発明の実施例を図面に基づいて説明する。
本発明のろ過池システムは、図１に示すように、例えば浄水設備に用いられ、取水ポンプ１によって採取された原水を、生物接触処理部２１、薬品混合処理部２２、凝集処理部２３、沈殿処理部２４等が順に設けられる前処理部２において前処理して、原水中の夾雑物を除去し、濁度成分を分解、吸着除去、凝集、分離する前処理により、透明度の高いろ過水を得られるように構成している。前処理部２を経た原水は、流入機構４２よりろ過池４に受入れられる。
【００２５】
前記ろ過池は、ろ過水の需要に応じて複数（例えば４池）設けてあり、さらに、各ろ過池を運転、停止制御して、需要の変動に追従可能に構成する。（以下、これらろ過池を区別する場合には、第１ろ過池、第２ろ過池、、、第Ｎろ過池と順に称する）
【００２６】
前記ろ過池は、図２に示すように、ろ過槽４１上部に流入機構４２を設けるとともに、下部に流出機構４３を設け、ろ過槽４１内に多孔質板４４を設け、原水をろ材４０によりろ過して、ろ過されたろ過水を流出機構４３より浄水池５に流出可能に構成してある。尚、前記多孔質板４４上にろ材４０を設け、そのろ材４０を被処理水が上から下に通過するように配設する。また、前記多孔質板４４の下方には、逆洗水および逆洗エアを供給する逆洗機構４５ａ、４５ｂを設けてある。また、前記ろ材４０上方には排水用トラフ４６を設けて前記逆洗水を排水渠４７から排出可能に構成してある。
【００２７】
前記ろ過槽４１には、前記ろ材４０のろ過抵抗を測定するろ過抵抗計、ろ過水の濁度を測定する濁度計、タイマ装置等の洗浄要因観測手段６１を設け、ろ過抵抗計のろ過抵抗検出値や、前記濁度計の濁度検出値等の洗浄要因が所定限界値に達したことに基づいて、前記逆洗機構４５ａ、４５ｂを起動する洗浄管理手段６を備える。
【００２８】
前記逆洗機構４５ａ、４５ｂを起動する際には、まず、ろ過槽４１内の水を排水渠４７から排出しつつ、前記逆洗機構４５ａ、４５ｂにより逆洗水および逆洗エアを供給する。すると、前記ろ材４０の目詰まりの原因となっている固形成分がろ材４０の上方に浮遊させられる。ろ材の上方に浮遊させられた固形成分は、前記排水用トラフ４６により前記排水渠４７に案内され、ろ過槽４１外へ排出される。
【００２９】
図３に示すように、前記洗浄管理手段は、タイマ装置等により、現在、洗浄開始時期に相当しているかどうかを確認し、洗浄中のろ過池が現在無い事を確認する（＃１〜＃２）。この洗浄開始時期としては、正候補時期と予備候補時期とを設定しておくが、ここでは、何れの場合も洗浄開始時期として取り扱う。このとき、後述の第１洗浄待機フラグの付されたろ過池（以下、第１洗浄待機ろ過池と称する）があれば洗浄工程に移行する（＃３〜＃４）。これらの条件を満たさない時期には、図４に示す洗浄要因チェックを行う（＃５）。
【００３０】
洗浄要因チェックは、図４に示すように、第１ろ過池から順に洗浄要因が成立しているかどうかの確認を行い、洗浄要因の成立しているろ過池に対して洗浄待機フラグを付す。尚、前記洗浄要因としてのろ過抵抗検出値や濁度検出値は、常時参照可能に出力されているものとする（＃２１〜＃２２）。洗浄要因が成立しているろ過池には、洗浄待機フラグを付すので、洗浄待機フラグの付されたろ過池は、洗浄要因の有無を重ねて行うことなく次のろ過池の洗浄要因の確認に移る（＃２３〜＃２８）。洗浄待機フラグの付されていないろ過池において、洗浄要因が成立していない場合も次のろ過池の確認に移る（＃２４〜＃２８）。前記洗浄待機フラグの付されていないろ過池で洗浄要因の成立が確認されると（＃２４）、まだ付与されていない洗浄待機フラグの最小番号をさがして（＃２５〜＃２６）そのろ過池に付与する（＃２７）。この確認作業をろ過池のすべてについて行う（＃２９〜＃２３）。いずれのろ過池にも洗浄要因が成立しなければ、洗浄要因チェックを繰り返す事になる。逆に、洗浄すべき前記ろ過池が複数あるとき、予め設定してある複数の洗浄開始時期のうち、夫々のろ過池の洗浄開始時期が互いに異なるよう洗浄待機フラグを割り振り、洗浄開始時期を選択させることができる。
【００３１】
いずれかのろ過池に洗浄要因が成立し、洗浄工程に移行した場合、図３に示すように、その洗浄開始時期が正候補時期か、予備候補時期かを判別する（＃４）。
【００３２】
正候補時期である場合には、前記第１洗浄待機ろ過池の洗浄を開始する（＃６）。その後、順位処理（＃７）を行う。＃７の順位処理では、洗浄を始めたろ過池の洗浄待機フラグを消し、他の洗浄待機ろ過池の洗浄待機フラグをそれぞれ１減らす処理を行う。また、順位処理（＃７）の後に第１洗浄待機ろ過池が残っていれば、そのろ過池に優先処理フラグをたてる（＃１０〜＃１１）。優先処理フラグの付されたろ過池は、後述のように、前記洗浄開始時期が予備候補時期であっても洗浄開始されるようになる。これにより、洗浄待機状態にあるろ過池の洗浄開始時期および前記別のろ過池の洗浄開始時期を、夫々、前記正候補時期および前記予備候補時期のうち直近の洗浄開始時期から順に設定することができる。
【００３３】
具体的には、図５の第１ろ過池及び第２ろ過池の関係において、図４に従って、第１ろ過池にまず第１洗浄待機フラグが生じ、その後、正候補時期までに第２ろ過池に第２洗浄待機フラグが生じたとする。すると、その正候補時期には、図３の＃４〜＃６〜＃７に従って、前記第１ろ過池が洗浄開始され、前記第１ろ過池の洗浄待機フラグはなくなり、前記第２ろ過池の洗浄待機フラグは第２から第１になるとともに優先処理フラグが付される。優先処理フラグの付された第２ろ過池は、次の直近の洗浄開始時期としての正候補時期に洗浄を開始されることになる。
尚、図５の第４ろ過池のように、洗浄待機フラグの生じた後、次の正候補時期までに、図３の＃１〜＃５に従って洗浄要因チェックを行っても新たな洗浄待機フラグが発生しなければ、その後の直近の正候補時期において第１洗浄待機フラグの立つ第４ろ過池が、図３の＃４〜＃６〜＃７に従って洗浄処理を開始される。つまり、洗浄すべきろ過池が一つの場合に、そのろ過池の洗浄開始時期を前記正候補時期のうち直近のものに設定して、前記ろ過池を洗浄待機状態にするとともに、その正候補時期において洗浄を行う。
【００３４】
洗浄開始時期が予備候補時期である場合には、前記第１洗浄待機ろ過池のほかに、第２洗浄待機ろ過池が存在する（例えば図６、図７における第３ろ過池）か、存在しなくても、前記予備候補時期の直前の洗浄開始時期において前記第１洗浄待機ろ過池のほかに、第２洗浄待機ろ過池が存在していた場合（例えば図５における第３ろ過池や、図７における第４ろ過池）にのみ、前記第１洗浄待機ろ過池の洗浄を開始する（＃４〜＃８〜＃９）。後者の場合、直前の洗浄開始時期における第二洗浄待機ろ過池には、図３の＃１１の処理で優先処理フラグが生じているから、その優先処理フラグにより処理を開始することが出来る。例えば図５における第３ろ過池は、予備候補時期に洗浄開始される。
【００３５】
具体的には、図５に示すように、たとえば、前記第４ろ過池に対して、第１洗浄待機フラグが生じた後、次の正候補時期までに他の洗浄待機フラグが生じなかった場合には、次の正候補時期に前記第４ろ過池の洗浄が開始されることになる。予備候補時期においては、第４ろ過池が第１洗浄待機ろ過池となり、第４ろ過池以外に、洗浄待機フラグを有するろ過池がないため、図３の＃９〜＃１の行程をたどり、次の正候補時期が来るか、別のろ過池に洗浄要因が成立するかまで洗浄待機状態に維持されることになる。
【００３６】
これに対して、図６、７に示す第３ろ過池のように、第１洗浄待機フラグが生じた後、ある洗浄開始時期の前に第４ろ過池に洗浄要因が成立し、第２洗浄待機フラグが生じたとすると、その後の洗浄開始時期が予備候補時期であっても、前記予備候補時期に第２洗浄待機フラグの生じている第４ろ過池は第２洗浄待機ろ過池として設定し（図３＃９）、第１洗浄待機フラグの生じている第３ろ過池を、第１洗浄待機ろ過池として洗浄開始する（図３＃６）。この際、第２洗浄待機ろ過池には優先処理フラグを生じる（図３＃１０）。これにより、図６に示すように、前記第４ろ過池は、次の洗浄開始時期が正候補時期である場合に洗浄開始されるとともに、図７に示すように、前記第４ろ過池は、次の洗浄開始時期が予備候補時期であっても、洗浄開始されるようになり（図３＃８〜＃６）洗浄時期を早期に設定して洗浄待機時期が重なるのを防止することが出来る。。
【００３７】
さらに、上述の洗浄管理手段は、洗浄順位変更手段を備える。これにより、複数の洗浄待機ろ過池が存在する場合に、洗浄管理者が、目視等の判断により、洗浄待機フラグの順位を入れ替えることが出来るようになる。例えば、前記洗浄順位変更手段は、図８に示すように、第３ろ過池および第４ろ過池の洗浄順位を入れ替え、何れのろ過池も予備候補時期を利用して順次洗浄処理されることになる。
【００３８】
また、上述の洗浄管理手段は、洗浄先行手段を備える。これにより、何れかのろ過池につき、前記洗浄要因のうち何れかの洗浄要因の成立が予測できるとき、前記洗浄要因の成立前であっても、前記洗浄管理手段が前記ろ過池に前記正候補時期を設定することができるようになる。例えば、図９に示す例では、第１ろ過池の洗浄後の正候補時期に、洗浄待機中のろ過池が無いうえに、次の正候補時期までに第２ろ過池と第３ろ過池とに洗浄要因が成立することが予測される。この場合、この正候補時期に先に第２ろ過池の洗浄を開始しておく。これにより、前記第２ろ過池および第３ろ過池は、予備候補時期を利用するまでもなく次の正候補時期に洗浄することが可能になる。
【００３９】
また、上述の洗浄管理手段は強制洗浄手段を備える。これにより、洗浄要因が検出されていなくても洗浄が必要になると思われるろ過池を優先的に洗浄することが出来るようになる。例えば、図１０に示す例では、第３ろ過池と第４ろ過池とが洗浄待機ろ過池である場合に、第１ろ過池に強制洗浄手段を適用した場合、前記第１ろ過池に第１洗浄待機フラグを付与し、第３ろ過池と、第４ろ過池の洗浄待機フラグを一つずつ繰り下げる。これにより、前記第１ろ過池、第３ろ過池、第４ろ過池の順に、洗浄開始時期として予備候補時期と正候補時期とを直近のものから順に利用して洗浄を速やかにかつ計画的に行うことが出来る。
【００４０】
尚、前記洗浄開始時期としては、例えば、毎日午前９時、１１時、午後５時の３度の正候補時期および、午後１２時３０分、２時、３時３０分の３度の予備候補時期を設定する。またこのように、定時を想定する以外に、それぞれに時間幅をもたせても良い。つまり、午前９時とするのに代えて、午前９時から１０時の間というように洗浄開始時期を設定することが出来る。このように設定しておくと、９時から１０時の間に洗浄要因の成立したろ過池についても、他に洗浄待機ろ過池が無い場合に（図３＃２）、洗浄要因が成立し次第洗浄が開始できることになり、速やかな洗浄処理が実現される。
【００４１】
また、本発明は、図３、４に示すフロー図に従って処理されるものに限らず、種々のフローに沿って実現可能である。
【図面の簡単な説明】
【００４２】
【図１】ろ過池システムの概略図
【図２】ろ過池の縦断側面図
【図３】洗浄管理手段の一例を示すフロー図
【図４】洗浄要因チェックの一例を示すフロー図
【図５】ろ過池の通常の洗浄例を示すタイミング図
【図６】ろ過池の通常の洗浄例を示すタイミング図
【図７】ろ過池の通常の洗浄例を示すタイミング図
【図８】洗浄順位変更手段による洗浄例を示すタイミング図
【図９】洗浄先行手段による洗浄例を示すタイミング図
【図１０】強制洗浄手段による洗浄例を示すタイミング図
【符号の説明】
【００４３】
４  ろ過池
６  洗浄管理手段
４５ａ、４５ｂ  逆洗手段
【図１】
2005334817.tif 000003
【図２】
2005334817.tif 000004
【図３】
2005334817.tif 000005
【図４】
2005334817.tif 000006
【図５】
2005334817.tif 000007
【図６】
2005334817.tif 000008
【図７】
2005334817.tif 000009
【図８】
2005334817.tif 000010
【図９】
2005334817.tif 000011
【図１０】
2005334817.tif 000012